(57)【要約】【課題】複数のマーカ文字列を関連付けて学習する。【解決手段】見出し語となる文字列と当該見出し語の説明文とを対応付けた文書を複数種類記憶する辞書・教科書データベース22Ａと、該データベース22Ａが記憶する複数の文書に対し、全文検索の検索キーワードとなる文字列の入力を受付けるキー入力部14と、入力された検索キーワードに基づいて該データベース22Ａが記憶する複数種類の文書の説明文を全文検索し、検索キーワードと一致する文字列を含む説明文に対応付けられた見出し語をメイン画面17で表示し、検索で得られた検索キーワード及び見出し語の各文字列を関連付けてマーカ学習帳データ22Ｂに登録し、登録した内容に対するキー入力部14での表示の指示を受付け、その指示に従い、マーカ学習帳データ22Ｂで記憶した複数の文字列を関連付けに応じてメイン画面17で隣り合うように表示させるＣＰＵ21とを備える。【選択図】図２
2012128069.tif 000002
【特許請求の範囲】
【請求項１】
見出し語となる文字列と当該見出し語の説明文とを対応付けた文書を複数種類記憶する文書記憶手段と、
上記文書記憶手段が記憶する複数の文書に対し、検索キーワードとなる文字列の入力を受付けるキーワード入力手段と、
上記キーワード入力手段で入力された検索キーワードに基づいて上記文書記憶手段が記憶する複数種類の文書の見出し語及び説明文を全文検索し、検索キーワードと一致する文字列を含む見出し語、または一致する文字列を含む説明文に対応付けられた見出し語を表示する検索手段と、
上記検索手段での検索で得られた検索キーワード及び見出し語の各文字列を関連付けて登録する学習帳登録手段と、
上記学習帳登録手段で登録した内容に対する表示の指示を受付ける表示指示手段と、
上記表示指示手段で受付けた指示に従い、上記学習帳登録手段で記憶した複数の文字列を関連付けに応じた位置関係で画面中に配置して表示する表示制御手段と
を具備したことを特徴とする電子学習装置。
【請求項２】
見出し語となる文字列と当該見出し語の説明文とを対応付けた文書を複数種類記憶する文書記憶手段と、
上記文書記憶手段が記憶する複数の文書から１つの見出し語が選択されるのを受付ける文書選択手段と、
上記文書選択手段で選択された見出し語と対応付けられた説明文を表示する説明文表示手段と、
上記説明文表示手段で表示した説明文中の文字列の指定を受付ける文字列受付手段と、
上記文字列受付手段で指定を受付けた文字列を見出し語と関連付けて登録する学習帳登録手段と、
上記学習帳登録手段で登録した内容に対する表示の指示を受付ける表示指示手段と、
上記表示指示手段で受付けた指示に従い、上記学習帳登録手段で記憶した見出し語と文字列とを関連付けに応じた位置関係で画面中に配置して表示する表示制御手段と
を具備したことを特徴とする電子学習装置。
【請求項３】
上記文字列受付手段は、上記説明文表示手段で表示した説明文中の２番目以降の文字列の指定に際して、それ以前に指定した同文中の他の文字列との関連付けを受付け、
上記学習帳登録手段は、上記文字列受付手段で指定を受付けた２番目以降の文字列をそれ以前に指定した文字列と関連付けて登録し、
上記表示制御手段は、上記学習帳登録手段で記憶した見出し語及び文字列をそれぞれ関連付けに応じて隣り合うように画面中に配置して表示する
ことを特徴とする請求項２記載の電子学習装置。
【請求項４】
上記学習帳登録手段は、登録順序に応じて背景部分の表示形態が異なるように設定して各文字列を登録し、
背景部分の表示形態と文字列の表示または非表示の指定を受付ける背景指定手段をさらに具備し、
上記表示制御手段は、上記背景表示手段で受付けた指定に従い、背景部分の表示形態が指定された文字列の表示または非表示を制御する
ことを特徴とする請求項１または２記載の電子学習装置。
【請求項５】
上記背景指定手段は、すべての背景部分の表示形態に対する文字列の表示の指定を受付けることを特徴とする請求項４記載の電子学習装置。
【請求項６】
電子学習装置が内蔵するコンピュータを制御するためのプログラムであって、
上記コンピュータを、
見出し語となる文字列と当該見出し語の説明文とを対応付けた文書を複数種類記憶する文書記憶手段、
上記文書記憶手段が記憶する複数の文書に対し、検索キーワードとなる文字列の入力を受付けるキーワード入力手段、
上記キーワード入力手段で入力された検索キーワードに基づいて上記文書記憶手段が記憶する複数種類の文書の見出し語及び説明文を全文検索し、検索キーワードと一致する文字列を含む見出し語、または一致する文字列を含む説明文に対応付けられた見出し語を表示する検索手段、
上記検索手段での検索で得られた検索キーワード及び見出し語の各文字列を関連付けて登録する学習帳登録手段、
上記学習帳登録手段で登録した内容に対する表示の指示を受付ける表示指示手段、及び
上記表示指示手段で受付けた指示に従い、上記学習帳登録手段で記憶した複数の文字列を関連付けに応じた位置関係で画面中に配置して表示する表示制御手段
として機能させるためのプログラム。
【請求項７】
電子学習装置が内蔵するコンピュータを制御するためのプログラムであって、
上記コンピュータを、
見出し語となる文字列と当該見出し語の説明文とを対応付けた文書を複数種類記憶する文書記憶手段、
上記文書記憶手段が記憶する複数の文書から１つの見出し語が選択されるのを受付ける文書選択手段、
上記文書選択手段で選択された見出し語と対応付けられた説明文を表示する説明文表示手段、
上記説明文表示手段で表示した説明文中の文字列の指定を受付ける文字列受付手段、
上記文字列受付手段で指定を受付けた文字列を見出し語と関連付けて登録する学習帳登録手段、
上記学習帳登録手段で登録した内容に対する表示の指示を受付ける表示指示手段、及び
上記表示指示手段で受付けた指示に従い、上記学習帳登録手段で記憶した見出し語と文字列とを関連付けに応じた位置関係で画面中に配置して表示する表示制御手段
として機能させるためのプログラム。
【発明の詳細な説明】
【技術分野】
【０００１】
本発明は、複数の辞書データを記憶した電子辞書装置等に好適な電子学習装置及びその制御プログラムに関する。
【背景技術】
【０００２】
従来より電子辞書装置は、複数種類の辞書コンテンツを記憶し、所望の見出し語に対応する説明情報を、選択した辞書データから読出して画面で表示するものとしている。
【０００３】
この種の電子辞書装置で、メッセージ、訳語及びマーカ表示により、利用者の使い勝手と活用効率を向上させるための技術が考えられている。（例えば、特許文献１）
【先行技術文献】
【特許文献】
【０００４】
【特許文献１】特開２００４−２１３２９９号公報
【発明の概要】
【発明が解決しようとする課題】
【０００５】
上記特許文献に記載された技術を含めて、一般にこの種の電子手帳装置におけるマーカ表示機能は、選択した辞書データ中で、見出し語に対応する説明情報中の任意の文字列に任意の色のマーカを付加して、マーカ帳として学習するものである。そして、このマーカ表示機能は、個々のマーカ文字列を独立したものとして管理している。そのため、複数のマーカ文字列をなんらかの共通した繋がりに応じて関連付けて記憶するようにはなっていない。
【０００６】
本発明は上記のような実情に鑑みてなされたもので、その目的とするところは、複数のマーカ文字列を関連付けて学習することが可能な電子学習装置及びプログラムを提供することにある。
【課題を解決するための手段】
【０００７】
請求項１記載の発明は、見出し語となる文字列と当該見出し語の説明文とを対応付けた文書を複数種類記憶する文書記憶手段と、上記文書記憶手段が記憶する複数の文書に対し、検索キーワードとなる文字列の入力を受付けるキーワード入力手段と、上記キーワード入力手段で入力された検索キーワードに基づいて上記文書記憶手段が記憶する複数種類の文書の見出し語及び説明文を全文検索し、検索キーワードと一致する文字列を含む見出し語、または一致する文字列を含む説明文に対応付けられた見出し語を表示する検索手段と、上記検索手段での検索で得られた検索キーワード及び見出し語の各文字列を関連付けて登録する学習帳登録手段と、上記学習帳登録手段で登録した内容に対する表示の指示を受付ける表示指示手段と、上記表示指示手段で受付けた指示に従い、上記学習帳登録手段で記憶した複数の文字列を関連付けに応じた位置関係で画面中に配置して表示する表示制御手段とを具備したことを特徴とする。
【０００８】
請求項２記載の発明は、見出し語となる文字列と当該見出し語の説明文とを対応付けた文書を複数種類記憶する文書記憶手段と、上記文書記憶手段が記憶する複数の文書から１つの見出し語が選択されるのを受付ける文書選択手段と、上記文書選択手段で選択された見出し語と対応付けられた説明文を表示する説明文表示手段と、上記説明文表示手段で表示した説明文中の文字列の指定を受付ける文字列受付手段と、上記文字列受付手段で指定を受付けた文字列を見出し語と関連付けて登録する学習帳登録手段と、上記学習帳登録手段で登録した内容に対する表示の指示を受付ける表示指示手段と、上記表示指示手段で受付けた指示に従い、上記学習帳登録手段で記憶した見出し語と文字列とを関連付けに応じた位置関係で画面中に配置して表示する表示制御手段とを具備したことを特徴とする。
【０００９】
請求項３記載の発明は、上記請求項２記載の発明において、上記文字列受付手段は、上記説明文表示手段で表示した説明文中の２番目以降の文字列の指定に際して、それ以前に指定した同文中の他の文字列との関連付けを受付け、上記学習帳登録手段は、上記文字列受付手段で指定を受付けた２番目以降の文字列をそれ以前に指定した文字列と関連付けて登録し、上記表示制御手段は、上記学習帳登録手段で記憶した見出し語及び文字列をそれぞれ関連付けに応じて隣り合うように画面中に配置して表示することを特徴とする。
【００１０】
請求項４記載の発明は、上記請求項１または２記載の発明において、上記学習帳登録手段は、登録順序に応じて背景部分の表示形態が異なるように設定して各文字列を登録し、背景部分の表示形態と文字列の表示または非表示の指定を受付ける背景指定手段をさらに具備し、上記表示制御手段は、上記背景表示手段で受付けた指定に従い、背景部分の表示形態が指定された文字列の表示または非表示を制御することを特徴とする。
【００１１】
請求項５記載の発明は、上記請求項４記載の発明において、上記背景指定手段は、すべての背景部分の表示形態に対する文字列の表示の指定を受付けることを特徴とする。
【００１２】
請求項６記載の発明は、電子学習装置が内蔵するコンピュータを制御するためのプログラムであって、上記コンピュータを、見出し語となる文字列と当該見出し語の説明文とを対応付けた文書を複数種類記憶する文書記憶手段、上記文書記憶手段が記憶する複数の文書に対し、検索キーワードとなる文字列の入力を受付けるキーワード入力手段、上記キーワード入力手段で入力された検索キーワードに基づいて上記文書記憶手段が記憶する複数種類の文書の見出し語及び説明文を全文検索し、検索キーワードと一致する文字列を含む見出し語、または一致する文字列を含む説明文に対応付けられた見出し語を表示する検索手段、上記検索手段での検索で得られた検索キーワード及び見出し語の各文字列を関連付けて登録する学習帳登録手段、上記学習帳登録手段で登録した内容に対する表示の指示を受付ける表示指示手段、及び上記表示指示手段で受付けた指示に従い、上記学習帳登録手段で記憶した複数の文字列を関連付けに応じた位置関係で画面中に配置して表示する表示制御手段として機能させる。
【００１３】
請求項７記載の発明は、電子学習装置が内蔵するコンピュータを制御するためのプログラムであって、上記コンピュータを、見出し語となる文字列と当該見出し語の説明文とを対応付けた文書を複数種類記憶する文書記憶手段、上記文書記憶手段が記憶する複数の文書から１つの見出し語が選択されるのを受付ける文書選択手段、上記文書選択手段で選択された見出し語と対応付けられた説明文を表示する説明文表示手段、上記説明文表示手段で表示した説明文中の文字列の指定を受付ける文字列受付手段、上記文字列受付手段で指定を受付けた文字列を見出し語と関連付けて登録する学習帳登録手段、上記学習帳登録手段で登録した内容に対する表示の指示を受付ける表示指示手段、及び上記表示指示手段で受付けた指示に従い、上記学習帳登録手段で記憶した見出し語と文字列とを関連付けに応じた位置関係で画面中に配置して表示する表示制御手段として機能させる。
【発明の効果】
【００１４】
本発明によれば、複数のマーカ文字列を関連付けて学習することが可能となる。
【図面の簡単な説明】
【００１５】
【図１】本発明の一実施形態に係る電子辞書装置の外観構成を示す図。
【図２】同実施形態に係る電子辞書装置の電子回路の機能構成を示すブロック図。
【図３】同実施形態の第１の動作例に係るコンテンツの表示と学習帳の登録の処理を示すフローチャート。
【図４】同実施形態の第１の動作例に係るコンテンツの表示と学習帳の登録の処理を示すフローチャート。
【図５】同実施形態の第１の動作例に係る学習帳登録過程での表示画面と登録された学習帳の内容とを示す図。
【図６】同実施形態の第１の動作例に係る登録済みの学習帳の表示処理を示すフローチャート。
【図７】同実施形態の第１の動作例に係る登録済みの学習帳１グループ内の各見出しの表示位置関係を示す図。
【図８】同実施形態の第１の動作例に係る登録済みの学習帳に対するキー操作とそれに対応した表示画面の遷移を示す図。
【図９】同実施形態の第１の動作例に係る登録済みの学習帳に対するキー操作とそれに対応した表示画面の遷移を示す図。
【図１０】同実施形態の第１の動作例に係る登録済みの学習帳に対するキー操作とそれに対応した表示画面の遷移を示す図。
【図１１】同実施形態の第１の動作例に係る登録済みの学習帳に対するキー操作とそれに対応した表示画面の遷移を示す図。
【図１２】同実施形態の第１の動作例に係る登録済みの学習帳に対するキー操作とそれに対応した表示画面の遷移を示す図。
【図１３】同実施形態の第１の動作例に係る学習帳登録過程での表示画面を示す図。
【図１４】同実施形態の第２の動作例に係る学習帳登録過程での表示画面を示す図。
【図１５】同実施形態の第２の動作例に係る学習帳表示過程での表示画面と操作とを示す図。
【発明を実施するための形態】
【００１６】
以下図面により本発明の一実施の形態について説明する。
【００１７】
図１は、同実施形態に係る電子辞書装置１０の外観構成を示す正面図である。
【００１８】
この電子辞書装置１０は、以下に説明する電子辞書専用の携帯機器として構成か、あるいは辞書機能を備えたＰＤＡ（Ｐｅｒｓｏｎａｌ  Ｄｉｇｉｔａｌ  Ａｓｓｉｓｔａｎｔｓ：個人向け情報携帯端末）、パーソナルコンピュータ、携帯電話端末、電子ブック、携帯ゲーム機等として構成される。
【００１９】
この電子辞書装置１０は、その本体ケース１１と蓋体ケース１２とがヒンジ部１３を介して展開／閉塞可能な折り畳み型ケースを備えて構成される。図１は展開した状態を示す。この折り畳み型ケースを展開した本体ケース１１の表面には、文字入力キー１４ａ、辞書指定キー１４ｂ、［訳／決定］キー１４ｃ、［戻る／リスト］キー１４ｄ、カーソル（↑，↓，←，→）キー１４ｅ、［ジャンプ］キー１４ｆ、スピーカ１５などを備えたキー入力部（キーボード）１４、および手書き入力部（サブ画面）１６が備えられる。
【００２０】
この手書き入力部（サブ画面）１６は、ユーザがスタイラスペンや手指等でタッチした位置を検出するタッチ位置検出装置と表示装置が一体となった構造であり、キー入力部１４の中央手前側において例えば２５６×６４ドットのカラー液晶表示画面１６ｄに透明タッチパネル１６ｔを重ねて構成される。
【００２１】
この手書き入力部（サブ画面）１６の領域は、必要に応じて、手書き文字を入力するための手書き文字（漢字）入力領域や各種機能のアイコン入力領域など、当該各領域を必要に応じて切り替える。
【００２２】
そして、上記手書き入力部（サブ画面）１６が手書き文字入力領域に切り替えられた状態での手書き入力に伴う軌跡はそのカラー液晶表示画面１６ｄにエコーバックして表示される。
【００２３】
また蓋体ケース１２の表面には、そのほぼ全面を対象に例えば４８０×３２０ドットのバックライト付きのタッチパネル式カラー表示部（メイン画面）１７が設けられる。このタッチパネル式カラー表示部（メイン画面）１７も、上記手書き入力部（サブ画面）１６と同様に、ユーザがスタイラスペンや手指等でタッチした位置を検出するタッチ位置検出装置と表示装置が一体となった構造であり、カラー液晶表示画面１７ｄに透明タッチパネル１７ｔを重ねて構成される。
【００２４】
そして、上記タッチパネル式カラー表示部（メイン画面）１７の右端には、上記キー入力部１４における一部のキーの押下操作をタッチ操作により行なうための、キー表記（例えば［訳／決定］キーＫＥや［戻る／リスト］キーＫＲ、［ジャンプ］キーＫＪ）が固定印刷されたタッチキーエリア１７Ａが設けられる。
【００２５】
また、上記タッチパネル式カラー表示部（メイン画面）１７の左端には、動作モードに応じて実行可能な機能をタッチ操作により指定するための、各種のアイコンが表示タッチアイコンエリア１７Ｂが設けられる。
【００２６】
例えば、後述する暗記学習帳モードの場合、上記タッチアイコンエリア１７Ｂには、登録している暗記文字列の全てを表示させるための「全て表示」アイコンＢＡ、登録している暗記文字列を登録順で表示させるための「登録順」アイコンＢＲ、登録している暗記文字列をマーカに応じて表示／非表示させるマーカアイコンＢＭ、及び学習を終えた見出しの文字列を表示させるための「学習済」アイコンＢＦが表示。上記マーカアイコンＢＭは、ここでは予め用意された３色、すなわち赤、黄、青のマーカ部分全てを隠す「全て隠す」状態を例示している。
【００２７】
図２は、上記電子辞書装置１０の本体ケース１１及び蓋体ケース１２内に備えられる電子回路軒の構成を示すブロック図である。
【００２８】
この電子辞書装置１０は、各種の記憶媒体に記録されたプログラム、または伝送されたプログラムを読出して、その読出したプログラムによって動作が制御コンピュータによって構成され、その電子回路には、ＣＰＵ２１が備えられる。
【００２９】
ＣＰＵ２１は、システムバスＳＢを介してプログラムメモリ（フラッシュメモリ）２２と接続。ＣＰＵ２１は、プログラムメモリ２２内に予め記憶された装置制御プログラム、あるいはメモリカード２３からメモリカードコントローラ２４を介して上記プログラムメモリ２２に記憶した装置制御プログラム、あるいはインターネットＮ上のＷｅｂサーバ（この場合はプログラムサーバ）３０から通信制御部２５を介して上記プログラムメモリ２２に記憶した装置制御プログラムに応じて、ＳＲＡＭで構成ワークメモリ２６をメインメモリとして回路各部の動作を制御する。
【００３０】
上記プログラムメモリ２２に記憶された装置制御プログラムは、上記キー入力部１４からのユーザ操作に応じた入力信号、あるいは通信制御部２５を介して接続インターネットＮ上の各Ｗｅｂサーバ３０…との通信信号、あるいはメモリカードコントローラ２４を介して接続ＥＥＰＲＯＭ，ＲＡＭ，ＲＯＭなどのメモリカード２３との接続通信信号に応じて起動される。
【００３１】
上記ＣＰＵ２１には、システムバスＳＢを介して上記プログラムメモリ２２、メモリカードコントローラ２４、通信制御部２５、ワークメモリ２６、及びキー入力部１４が接続される他に、上記手書き入力部１６及びタッチパネル式カラー表示部１７が接続される。
【００３２】
上記プログラムメモリ２２が記憶する装置制御プログラムとしては、当該電子辞書装置１０の全体の動作を司るシステムプログラムや、通信制御部２５を介してインターネットＮ上の各Ｗｅｂサーバ３０…や図示しないユーザＰＣなどとデータ通信するための通信プログラム、辞書・教科書データベース２２Ａ、マーカ学習帳データ２２Ｂ、及び各種処理プログラム２２Ｃがある。
【００３３】
辞書・教科書データベース２２Ａは、複数種類の辞書・教科書コンテンツ２２Ａ１，２２Ａ，…と、上記各辞書・教科書コンテンツ２２Ａ１，２２Ａ，…の名称を上記タッチパネル式カラー表示部１７で表示するための辞書・教科書名情報２２ＡＮとを有する。
【００３４】
辞書・教科書コンテンツ２２Ａ１，２２Ａ，…としては、例えば「国語辞典」「英和辞典」「英語類語辞典」「和英辞典」「百科事典」などの種類の異なる複数の辞書データ、及び「数学：公式集」「社会：日本史」「社会：世界史」「社会：地理」「社会：政治経済」「科学：生物」「科学：物理」「科学：化学」などの種類の異なる複数の教科書データが、予めあるいはダウンロードされて複数記憶される。
【００３５】
各辞書・教科書コンテンツ２２Ａ１，２２Ａ，…は、それぞれの言語やその他の基準に応じた所定の順番で配列された見出し語Ｗと、各見出し語Ｗに対応付けられた当該見出し語の訳語・意味内容・例文（用例）などを説明するためのテキスト情報Ｔを有する
辞書・教科書名情報２２ＡＮは、上記辞書・教科書コンテンツ２２Ａ１，２２Ａ，…それぞれと全辞書コンテンツ及び全教科書コンテンツを表す操作ボタン用の簡略表示データであり、例えば「国語」「英和」「英語類語」「和英」「百科」「全辞書」「公式集」「日本史」「世界史」「地理」「政治経済」「生物」「物理」「化学」など所定の矩形領域に簡略化した文字列を配置した構成をとる。
【００３６】
マーカ学習帳データ２２Ｂは、全文検索での検索キーワードの文字列と検索された見出し語の文字列とを関連付けて記憶する。
【００３７】
各種処理プログラム２２Ｃは、選択された辞書・教科書コンテンツでの検索文字列の入力に応じた見出し語検索処理と、指定の見出し語に対応した各種説明情報の読み出し表示処理、また検索対象として選択された辞書コンテンツで入力した検索文字列を切替先の辞書コンテンツでの検索文字列として適切に引き継ぎ入力する処理など、上記辞書・教科書データベース２２Ａの内容に基づく検索処理全般を制御するためのプログラムである。
【００３８】
ワークメモリ２６は、表示メモリ、入力文字メモリ、及び検索結果メモリなどを備える。上記表示メモリは、手書き入力部１６、タッチパネル式カラー表示部１７の表示画面に対応した表示データの記憶領域を有し、それぞれの表示画面に表示すべきデータをビットマップのパターンデータとして記憶する。
【００３９】
上記入力文字メモリは、上記各種処理プログラム２２Ｃに従ってキー入力部１４、及び手書き入力部１６の透明タッチパネル１６ｔにより入力された文字・数字・記号などの入力データを記憶する。上記検索結果メモリは、辞書検索処理された見出し語や説明情報を記憶する。
【００４０】
［第１の動作例］  
次に上記実施形態の第１の動作例について説明する。  
図３及び図４は、上記電子辞書装置１０においてＣＰＵ２１が制御を司る、コンテンツの表示と学習帳の登録の処理を示すフローチャートである。  
また図５は、学習帳を登録する過程での表示画面と登録学習帳の内容とを示す図である。  
本実施形態では、辞書・教科書コンテンツとして「日本史」を選択した上で、「平安」なる単語をメインのキーワードとしてこれに関連するいくつかの単語を「暗記学習帳Ａ」と名付ける学習帳に１つのグループとして関連付けて登録する場合について説明する。
【００４１】
その動作当所には、例えば図５（Ａ）−２に示すように、「暗記学習帳Ａ」と名付ける学習帳内の１グループに対して、最初にメインのキーワードとなる「平安」、他にもキーワード「宇治」「平等院鳳凰堂」を入力して関連付けるよう設定するものとする。
【００４２】
図３及び図４の処理では、まずＣＰＵ２１がカラー液晶表示画面１７ｄでの表示により辞書・教科書コンテンツの選択をユーザに促し、それに対して辞書指定キー１４ｂで「日本史」が選択と（ステップＳ１０１）、次いでメインのキーワードを目次の見出しから選択するか否か、カラー液晶表示画面１７ｄでの表示によりユーザに対して選択を促す（ステップＳ１０２）。
【００４３】
これに対してユーザが目次の見出しからは選択しない旨の操作を透明タッチパネル１７ｔで行なうと、それを受付けたＣＰＵ２１は次に、当該コンテンツ中の各見出し語Ｗ内から検索するか否か、カラー液晶表示画面１７ｄでの表示により選択をユーザに促す（ステップＳ１２２）。
【００４４】
ここでも見出し語Ｗ内から検索しないことを透明タッチパネル１７ｔでの操作によりユーザが入力すると、次にＣＰＵ２１は、見出し語Ｗ及びテキスト情報Ｔの全文を対象とした検索を行なうか否か、カラー液晶表示画面１７ｄでの表示により選択をユーザに促す（ステップＳ１２５）。
【００４５】
ここでユーザにより全文検索以外の選択操作がなされた場合には、その選択された内容に従った処理を実行するが、本動作例には直接関係しないものとして、ここではその説明を省略する。
【００４６】
一方、上記ステップＳ１２５でユーザが全文検索の選択操作を行なったと判断した場合、ＣＰＵ２１はユーザによる文字入力キー１４ａまたは透明タッチパネル１６ｔを使用しての１つまたは複数の検索文字列の入力を受付ける（ステップＳ１２６）。
【００４７】
そして、入力された検索文字列が１つであればその検索文字列により、複数であればそれら検索文字列をアンド条件として、対応するテキストをコンテンツ内で全文検索し、該当する見出し語Ｗを検索する（ステップＳ１２７）。
【００４８】
その検索の結果、該当する見出し語Ｗまたはテキスト情報Ｔがあったか否かを判断する（ステップＳ１２８）。ここで該当するものがなかったと判断した場合には、カラー液晶表示画面１７ｄでその旨のエラー表示を実行する。
【００４９】
一方、上記ステップＳ１２８で該当する内容があったと判断した場合、ＣＰＵ２１は直前のステップＳ１２６で複数の文字列を入力しての検索であったか否かを判断する（ステップＳ１２９）。
【００５０】
ここで複数の文字列を入力しての検索であると判断した場合、ＣＰＵ２１は入力されたそれら複数の文字列が、登録済みの文字列と一致するか否かを判断する（ステップＳ１３０）。
【００５１】
ここで登録済みの文字列がなく、その結果、一致と判断しなかった場合にＣＰＵ２１は、それら新たに入力された複数の文字列のうち、始めに入力された文字列をメインの検索キーワードであるものとし、当該学習帳の見出しとして登録する（ステップＳ１３２）。
【００５２】
その後、２番目以降の検索キーワードを当該学習帳の見出しに対応付けて登録する（ステップＳ１３３）。
【００５３】
上記図５（Ａ）−２で示した場合では、上述した如く「平安」「宇治」「平等院鳳凰堂」を１グループを構成する見出しとして関連付けて登録した状態を示す。このうち、３番目の文字列「平等院鳳凰堂」は見出し語Ｗとしても予め「日本史」コンテンツに登録されているものとし、キーワードに対応するインデックス「ｘｘｘｘｘ」を付加して設定する。
【００５４】
このときカラー液晶表示画面１７ｄでは、図５（Ａ）−１に示すように、３つ目のキーワード「びょうどういんほうおうどう」に対応するテキスト情報Ｔをカラー液晶表示画面１７ｄに表示する。なお、テキスト情報Ｔと合わせて、その他の画像情報等も同見出し語Ｗに対応して記憶されている場合には、図示するように合わせて当該画像等も表示する。
【００５５】
上記カラー液晶表示画面１７ｄで表示するテキスト情報Ｔにおいては、入力したキーワードと一致する文字列部分を図示する如くマーカ表示する。このとき、例えばメインとなるキーワードの文字列は赤枠で囲んで表示すると共に、２番目のキーワード文字列は赤色マーカで、３番目のキーワード文字列は黄色マーカで、４番目のキーワード文字列は青色マーカで表示するとともに、以後、５番目以降のキーワード文字列がある場合は赤色マーカ、黄色マーカ、及び青色マーカを循環的に割り当てて設定し、マーカ表示するものとする。
【００５６】
なお、上記ステップＳ１３０で登録済みの文字列と一致したと判断した場合にＣＰＵ２１は、それら新たに入力された複数の文字列を、登録済みの文字列に対応付けて下位の文字列として登録する（ステップＳ１３１）。
【００５７】
また、上記ステップＳ１２２において表示している当該コンテンツ中の各見出し語Ｗ内から検索するとの操作がユーザによりなされたと判断した場合にＣＰＵ２１は、見出し語Ｗのみを対象とするべく、ユーザに対して検索キーワードの文字列の入力を促して、それに対するユーザの文字列入力を受付ける（ステップＳ１２３）。そして、入力された検索文字列により該当する見出し語Ｗを検索する（ステップＳ１２４）。
【００５８】
上記ステップＳ１０２でユーザによりメインのキーワードを目次の見出しから選択するとの選択がなされたとＣＰＵ２１が判断した後、あるいは上記ステップＳ１２４でユーザが入力した検索文字列により該当する見出し語Ｗを検索した後、あるいは上記ステップＳ１２９で全文検索を行なうキーワードの文字列が複数ではなく１つのみであると判断した後、あるいは上記ステップＳ１３１で新たに入力した複数の文字列を、登録済みの文字列に対応付けて下位の文字列として登録した後、あるいは上記ステップＳ１３３で２番目以降の検索キーワードを当該学習帳の見出しに対応付けて登録した後にＣＰＵ２１は、その時点で登録されている見出しをカラー液晶表示画面１７ｄで一覧表示する（ステップＳ１０３）。
【００５９】
この見出しを一覧表示した状態から、ユーザに対していずれかの見出しの選択を促す表示を行ない、それに応じて選択操作がなされるのを受付ける（ステップＳ１０４）。
【００６０】
ここで見出しの選択操作がなされると、ＣＰＵ２１は操作された見出しに対する説明文としてテキスト情報Ｔその他を辞書・教科書データベース２２Ａの該当するコンテンツから読出し、展開してカラー液晶表示画面１７ｄで表示させる（ステップＳ１０５）。
【００６１】
その後、タッチアイコンエリア１７ＢのマーカアイコンＢＭがタッチ操作されたか否かを透明タッチパネル１７ｔからの出力により判断する（ステップＳ１０６）。
【００６２】
ここで、マーカアイコンＢＭがタッチ操作されなかったと判断した場合、次にＣＰＵ２１は、タッチキーエリア１７Ａの［ジャンプ］キーＫＪがタッチ操作により選択されて、ジャンプ検索が指定されたか否かを判断する（ステップＳ１３４）。
【００６３】
上記ステップＳ１３４で［ジャンプ］キーＫＪがタッチ操作により選択されず、ジャンプ検索が指定されなかった場合には、その他の操作に対応した処理を実行するが、本実施形態には関連しないものとしてその説明は省略する。
【００６４】
また、上記ステップＳ１０６でマーカアイコンＢＭがタッチ操作されたと判断した場合にＣＰＵ２１は、まず赤色のマーカを自動的に設定した上で（ステップＳ１０７）、ユーザにより表示中の文字列がスタイラスペンで位置指定されるのを受付ける（ステップＳ１０８）。
【００６５】
そして、この受付けた文字列を見出し語に対応付けた赤色のマーカ文字列とするべくマーカ学習帳データ２２Ｂの学習帳に追加登録する（ステップＳ１０９）。
【００６６】
その後、カラー液晶表示画面１７ｄにて同様の追加登録の処理を続行するか否かの選択を促す表示を行ない、その表示に対応するユーザの選択操作を受け付けて、続行するか否かを判断する（ステップＳ１１０）。
【００６７】
ここで追加登録を続行しないと判断した場合には、上記ステップＳ１０６からの処理に戻る。
【００６８】
また、上記ステップＳ１１０で追加登録を続行すると判断した場合には、次いで上述したローテーションに従って黄色のマーカを自動的に設定した上で（ステップＳ１１１）、ユーザにより表示中の文字列がスタイラスペンで位置指定されるのを受付ける（ステップＳ１１２）。
【００６９】
その後、ユーザがマーカ色を切り替えるためにスタイラスペンによりマーカアイコンＢＭをタッチ操作したか否かを判断する（ステップＳ１１３）。
【００７０】
ここでマーカアイコンＢＭがタッチ操作されていないと判断した場合には、直前の上記ステップＳ１１２で受付けた文字列を見出し語に対応付けた黄色のマーカ文字列とするべくマーカ学習帳データ２２Ｂの学習帳に追加登録する（ステップＳ１１５）。
【００７１】
また、上記ステップＳ１１３でマーカアイコンＢＭがタッチ操作されたと判断した場合には、そのタッチ操作された回数に応じてマーカ色を「青」→「赤」→「黄」→「青」→…と循環的に切り替えた上で、直前の上記ステップＳ１１２で受付けた文字列を見出し語に対応付けたマーカ文字列とするべくマーカ学習帳データ２２Ｂの学習帳に追加登録する（ステップＳ１１４）。
【００７２】
図５（Ｂ）−１は、ユーザのスタイラスペンＳＰでの文字列指定操作により、見出し語「平等院鳳凰堂」の説明文中の文字列「藤原頼道」を黄色のマーカ文字列として設定している状態を示す。この操作により、図５（Ｂ）−２に示す如くメインの見出し「宇治」及び見出し「平等院鳳凰堂」の双方と隣り合うような見出し「藤原頼道」が青色のマーカ文字列で表示するものとして追加登録される。
【００７３】
上記ステップＳ１１４またはＳ１１５の処理後、カラー液晶表示画面１７ｄにて同様の追加登録の処理を続行するか否かの選択を促す表示を行ない、その表示に対応するユーザの選択操作を受け付けて、続行するか否かを判断する（ステップＳ１１６）。
【００７４】
ここで追加登録を続行しないと判断した場合には、上記ステップＳ１０６からの処理に戻る。
【００７５】
また、上記ステップＳ１１６で追加登録を続行すると判断した場合には、次いで上述したローテーションに従って青色のマーカを自動的に設定した上で（ステップＳ１１７）、ユーザにより表示中の文字列がスタイラスペンで位置指定されるのを受付ける（ステップＳ１１８）。
【００７６】
その後、ユーザがマーカ色を切り替えるためにスタイラスペンによりマーカアイコンＢＭをタッチ操作したか否かを判断する（ステップＳ１１９）。
【００７７】
ここでマーカアイコンＢＭがタッチ操作されていないと判断した場合には、直前の上記ステップＳ１１８で受付けた文字列を見出し語に対応付けた青色のマーカ文字列とするべく学習帳に追加登録する（ステップＳ１２１）。
【００７８】
また、上記ステップＳ１１９でマーカアイコンＢＭがタッチ操作されたと判断した場合には、そのタッチ操作された回数に応じてマーカ色を「赤」→「黄」→「青」→「赤」→…と循環的に切り替えた上で、直前の上記ステップＳ１１８で受付けた文字列を見出し語に対応付けたマーカ文字列とするべくマーカ学習帳データ２２Ｂの学習帳に追加登録する（ステップＳ１２０）。
【００７９】
上記図５（Ｂ）−１では、ユーザのスタイラスペンＳＰでの文字列指定操作により、見出し語「平等院鳳凰堂」の説明文中の文字列「阿弥陀堂」を青色のマーカ文字列として設定している状態を示す。この操作により、図５（Ｂ）−２に示す如くメインの見出し「宇治」及び見出し「平等院鳳凰堂」の双方と隣り合うようなあらたな見出し「阿弥陀堂」が青色のマーカ文字列で表示するものとしてマーカ学習帳データ２２Ｂに追加登録する。
【００８０】
上記ステップＳ１２０またはＳ１２１の処理後、上記ステップＳ１０６からの処理に戻る。
【００８１】
また、上記ステップＳ１３４でタッチキーエリア１７Ａの［ジャンプ］キーＫＪがタッチ操作により選択され、ジャンプ検索が指定されたと判断した場合、ＣＰＵ２１は次に、表示中の説明文中からジャンプ検索を行なう文字列をユーザが指定するのを透明タッチパネル１７ｔからの入力により受付ける（ステップＳ１３５）。
【００８２】
ここでユーザによる検索文字列の指定がなされると、ＣＰＵ２１は次いで検索対象となる辞書・教科書コンテンツの選択をユーザに対して促し、ユーザがそれに応じて辞書・教科書コンテンツの選択操作を行なうのを受付ける（ステップＳ１３６）。
【００８３】
ＣＰＵ２１は、受付けた辞書／教科書コンテンツ名に従って辞書・教科書データベース２２Ａ内の該当コンテンツを全文検索し、該当する検索文字列を含むすべての見出しの候補をカラー液晶表示画面１７ｄで一覧表示する（ステップＳ１３７）。
【００８４】
ＣＰＵ２１は、この一覧表示中からいずれかの見出しを選択するのをユーザに対して促し、ユーザがそれに対して選択操作を行なうのを受付ける（ステップＳ１３８）。
【００８５】
このユーザの選択を受付けたＣＰＵ２１は、該当する見出しが元のマーカ学習帳データ２２Ｂの学習帳に登録されている内容であるか否かを判断する（ステップＳ１３９）。
【００８６】
ここでＣＰＵ２１は、選択された見出しが元の学習帳に登録済みであると判断した場合にのみ、元の学習帳の内容を拡張するべく、元の見出しに対応付けてジャンプ先の見出しをその時点で設定されているマーカ色で表示するものとして追加登録する（ステップＳ１４０）。
【００８７】
図５（Ｃ）−１は、上記図５（Ｂ）−１の表示状態の見出し語「平等院鳳凰堂」の説明文中の文字列「藤原道長」を用いてジャンプ検索を行なってさらに１グループ内の見出しを追加登録した場合を示す。ここでは見出し「藤原道長」の説明文中、「摂政」「藤原道長」を順次マーカ文字列として指定するものとする。
【００８８】
この結果、図５（Ｃ）−２に示すようにメインの見出し「宇治」にさらに続く見出しとして、あらたな見出し「摂政」を赤色のマーカ文字列で表示し、見出し「藤原道長」を黄色のマーカ文字列で表示するものとしてそれぞれ追加登録する。特に「藤原道長」の見出しについては、これを見出し語とするテキスト情報Ｔその他がコンテンツ内に存在するためにインデックス「ｙｙｙｙｙ」を設定している。
【００８９】
以上で上記タッチキーエリア１７Ａ内の［ジャンプ］キーＫＪの操作に対応したジャンプ検索の処理を終え、上記ステップＳ１０５からの処理に戻る。
【００９０】
このように、ジャンプ検索の機能を用いることで、マーカ学習帳データ２２Ｂに記憶される元の学習帳に含まれる見出しをより簡易な操作により随時更新登録して、学習帳の内容を拡張できる。
【００９１】
次に上記のようにして登録した学習帳を用いた表示処理について説明する。  
図６は、予めマーカ学習帳データ２２Ｂに登録されている暗記学習帳から１つのグループを選択して表示させる場合の動作について説明する。
【００９２】
ここでは、図７に示すようにメインの見出しを「平安」として複数の見出しが関連付けられた学習帳内の１グループの見出しの関係を例示する。本実施形態ではカラー液晶表示画面１７ｄを縦３×横３の計９つのマス目に分割して各見出しを表示するものとする。同図はその表示を行なう際の各見出しの位置関係を例示している。
【００９３】
図６の処理においては、まずマーカ学習帳データ２２Ｂ内に登録されている学習帳の複数の最大６グループ（Ｇｒ．）「Ａ」〜「Ｆ」の中から１つを選択するように促し、それに応じてユーザがいずれかのグループを選択する操作を行なうと、その操作入力を受付ける（ステップＳ３０１）。
【００９４】
図８は、このときタッチパネル式カラー表示部（メイン画面）１７で表示「暗記学習帳」の１つ、社会科の日本史用に登録した「暗記学習帳Ａ」に登録されている３つのグループ「Ａ．前回見たところ」「Ｂ．平安」「Ｃ．戦国武将」を各チェックボックスＣＢと共に一覧表示した状態を示す。
【００９５】
同図では、３番目のグループ「Ｃ．戦国武将」のチェックボックスＣＢにチェックのマーク「レ」が入り、同グループについては既に学習済みであることが視認できるようになっている。また、２番目のグループ「Ｂ．平安」が仮に選択された状態でカラーマーカにより識別して表示された状態を示す。ここでは２番目のグループであるので、上記したカラーマーカの順序と同じく、黄色のカラーマーカで表示している。
【００９６】
この図８に示す状態からタッチキーエリア１７Ａの［訳／決定］キーＫＥ（またはキー入力部１４の［訳／決定］キー１４ｃ）をユーザが操作すると、ＣＰＵ２１は上記ステップＳ３０１でそれを受付け、上記図８で示した表示画面に代えて、該当するグループ内の見出しの一覧表示を行なう（ステップＳ３０２）。
【００９７】
ここでは、上述したようにこのグループを構成する７つの見出しをカラー液晶表示画面１７ｄで画面の上下方向に沿って列挙するように一覧表示する。
【００９８】
この見出しの一覧表示状態から、マーカの色別に見出しを隠すためにタッチアイコンエリア１７ＢのマーカアイコンＢＭが操作されたか否かを判断する（ステップＳ３０３）。
【００９９】
ここでマーカアイコンＢＭが操作されていないと判断した場合には、さらに見出しを選択するべくカーソルキー（↑，↓）１４ｅまたは［訳／決定］キーＫＥ，１４ｃが操作されたか否かを判断する（ステップＳ３０５）。
【０１００】
ここで見出しを選択するためのキー操作もなされなかったと判断した場合に、ＣＰＵ２１はその他の操作に対応した処理を実行するが、本実施形態には関連しないものとしてその説明は省略する。
【０１０１】
また上記ステップＳ３０３でマーカアイコンＢＭが操作されたと判断した場合にＣＰＵ２１は、その時点で設定されているカラーマーカの隠し状態に対応して、図中に「全隠し」→「全表示」→「赤隠し」→「黄隠し」→「青隠し」→「全隠し」→‥‥というように、「全色のカラーマーカの見出し部分を隠す」、「全色のカラーマーカの見出し部分を表示する」、「赤色のカラーマーカの見出し部分を隠す」、「黄色のカラーマーカの見出し部分を隠す」、「青色のカラーマーカの見出し部分を隠す」という各状態を循環的に１段階ずつ切り替えた後（ステップＳ３０４）、さらなるマーカアイコンＢＭの操作に備えて上記ステップＳ３０３に戻る。
【０１０２】
また、上記ステップＳ３０５で見出しを選択するためのユーザによる操作がなされたと判断した場合にＣＰＵ２１は、その操作内容に対応し、カラー液晶表示画面１７ｄを縦３×横３の計９つのマス目に分割し、メインとなる見出しを中段の中央のマス目に配置するように表示する（ステップＳ３０６）。
【０１０３】
図９（Ａ）は、上記図８に示した表示状態から［訳／決定］キーＫＥまたは１４ｃが操作された場合の一表示例を示す。同図（Ａ）では、マーカアイコンＢＭが「全て隠す」という状態で選択操作されていることを示す記号「Ｘ」が同アイコン中に表示している。
【０１０４】
また９つのマス目の中段の中央で、上記ステップＳ３０６の処理によりメインとなる見出し「平安」が表示される。
【０１０５】
合わせて、中段の中央以外の周囲のマス目では、各見出しに関連付けられた文字列を、対応するマーカ色で表現してカラー表示させる（ステップＳ３０７）。
【０１０６】
加えて、上記ステップＳ３０３，Ｓ３０４の操作による隠し状態に応じて、マーカ色が該当する見出しの文字列を隠してマーカ色のみで表示させる一方で（ステップＳ３０８）、学習済みであると設定した見出しの文字列に関しては表示させる（ステップＳ３０９）。
【０１０７】
上記図９（Ａ）では、メインの見出し「平安」に関連して登録されている他の見出し部分、具体的には中段右側、下段の左側、同段中央、及び同段右側のそれぞれのマス目を上記図７でも説明したようにそれぞれ対応するマーカ色のみで表示させる。
【０１０８】
その後、カーソルキー（↑，↓，←，↑）１４ｅがユーザにより操作されたか否かを判断する（ステップＳ３１０）。カーソルキー１４ｅが操作されていなければ、さらに［訳／決定］キーＫＥまたは１４ｃが操作されたか否かを判断する（ステップＳ３１２）。
【０１０９】
［訳／決定］キーＫＥまたは１４ｃの操作もないと判断した場合、同グループにおける見出しに関する操作がないか、または終了したものとし、表示形態を戻すために［戻る／リスト］キーＫＲまたは１４ｄが操作されたか否かを判断する（ステップＳ３１３）。
【０１１０】
ここで［戻る／リスト］キーＫＲまたは１４ｄ以外のキー操作がなされたと判断した場合、ＣＰＵ２１はその他の操作に対応した処理を実行するが、本実施形態には関連しないものとしてその説明は省略する。
【０１１１】
また、上記ステップＳ３１３で［戻る／リスト］キーＫＲまたは１４ｄが操作されたと判断した場合、ＣＰＵ２１はそのキー操作に従って上記ステップＳ３０３からの処理に戻る。
【０１１２】
上記図９（Ａ）の表示状態から下方向の表示範囲の移動を示すカーソル（↓）キー１４ｅがユーザにより操作された場合、ＣＰＵ２１は上記ステップＳ３０５でそれを判断し、中央となる文字列をカーソルキーの操作された内容に応じて変更すると共に、中段の中央以外の周囲のマス目では、各見出しに関連付けられた文字列を、対応するマーカ色で表現してカラー表示させた後（ステップＳ３１１）、再び上記ステップＳ３１０の処理に戻る。
【０１１３】
図９（Ｂ）は、このときカラー液晶表示画面１７ｄで表示される内容を例示する。図示する如く、メインの見出し「平安」の下に位置する赤色のマーカのマス目が中段の中央に配置される。これに連れて、上記メインの見出し「平安」は上段の中央に移動し、その他の、文字列を隠した各マーカ色のマス目もそれぞれ一段分上側に移動する。
【０１１４】
さらに上記図９（Ｂ）の表示状態から下方向及び左方向の表示範囲の移動を示すカーソル（↓，←）キー１４ｅがユーザにより連続して操作された場合、上記ステップＳ３１１の処理を２回繰返し実行することにより、カラー液晶表示画面１７ｄで表示する内容は図９（Ｃ）で示すようになる。
【０１１５】
この図９（Ｃ）では、見出しである「平等院鳳凰堂」に該当する青色マーカのみの文字のないマス目が中段の中央に配置される。上段左側、中段左側、及び下段の３つの計５つの各マス目は、該当する見出し、及びカラー表示するためのマーカ色は設定されておらず、白色で表示する。
【０１１６】
上記図９（Ｃ）の表示状態から［訳／決定］キーＫＥまたは１４ｃがユーザにより操作された場合、ＣＰＵ２１は上記ステップＳ３１２でそれを判断し、その時点で画面中央のマス目に該当する見出しの文字列に対応するテキスト情報Ｔその他の説明文部分をカラーのマーカ付きでカラー液晶表示画面１７ｄにおいて表示する（ステップＳ３１４）。
【０１１７】
次いで、上記説明文中の［訳／決定］キー操作直前に画面中央のマス目に該当していた見出しの文字列部分を２重の枠で囲んで識別して表示する（ステップＳ３１５）。
【０１１８】
その後、その時点で設定されている隠し状態に応じて、指定されているマーカ色の文字列部分を隠して表示させる一方で（ステップＳ３１７）、学習済みであると設定した見出しの文字列に関しては表示させる（ステップＳ３１８）。
【０１１９】
図１０（Ａ）は、上記図９（Ｃ）の表示状態から［訳／決定］キーＫＥまたは１４ｃがユーザにより操作された場合の表示状態を示す。ここでは本来の見出し「平等院鳳凰堂」に該当する青色のマーカのみの文字のないマス目が中央に配置された状態で［訳／決定］キーＫＥまたは１４ｃが操作されたことにより、この見出しに対応するインデックス情報が存在するため、見出し語Ｗ「平等院鳳凰堂」に対応するテキスト情報Ｔその他を隠し状態に応じてマーカ表示のみで隠して表示している。
【０１２０】
このように隠し状態に応じて該当する色マーカ部分の文字列を隠した表示を行ないながら、さらに［訳／決定］キーＫＥまたは１４ｃが操作された否かを判断する（ステップＳ３１９）。ここで、［訳／決定］キーＫＥまたは１４ｃが操作されたと判断した場合には、隠した文字列を一時的、例えば２秒間だけ表示させた後（ステップＳ３２０）、上記再び上記ステップＳ３１９の処理に戻る。
【０１２１】
図１０（Ｂ）は、上記図１０（Ａ）の表示状態から［訳／決定］キーＫＥまたは１４ｃを操作した場合の一時的な表示状態を示す。同図（Ｂ）に示す如くテキスト情報Ｔに応じた説明文中で、上記図１０（Ａ）の表示状態では隠されていた見出しの文字列が該当するマーカ部分で一時的に表示される。
【０１２２】
また、上記ステップＳ３１９で［訳／決定］キーＫＥまたは１４ｃの操作がないと判断した場合にＣＰＵ２１は、現在隠している見出しの文字列の学習が終了したか否かを「学習済」アイコンＢＦの操作の有無により判断する（ステップＳ３２１）。
【０１２３】
ここで、まだ現在隠している見出しの文字列の学習が終了しておらず、「学習済」アイコンＢＦの操作がないと判断した場合、ＣＰＵ２１はさらに表示形態を戻すために［戻る／リスト］キーＫＲまたは１４ｄが操作されたか否かを判断する（ステップＳ３２３）。
【０１２４】
ここで［戻る／リスト］キーＫＲまたは１４ｄ以外のキー操作がなされたと判断した場合、ＣＰＵ２１はその他の操作に対応した処理を実行するが、本実施形態には関連しないものとしてその説明は省略する。
【０１２５】
また、上記ステップＳ３２３で［戻る／リスト］キーＫＲまたは１４ｄが操作されたと判断した場合、ＣＰＵ２１はそのキー操作に従って上記ステップＳ３１０からの処理に戻る。
【０１２６】
図１０（Ｃ）は、上記図１０（Ｂ）の表示状態からユーザが「学習済」アイコンＢＦを操作し、さらに続けて［戻る／リスト］キーＫＲまたは１４ｄを操作した場合の表示の遷移状態を示す。
【０１２７】
まず「学習済」アイコンＢＦを操作するとＣＰＵ２１が上記ステップＳ３２１でそれを判断し、その時点で該当する見出しの文字列、この場合には「びょうどういんほうおうどう（平等院鳳凰堂）」を学習済みであるものと設定して、それまで色マーカのみで文字列を隠していた状態から該当文字列を表示させた後（ステップＳ３２２）、上記ステップＳ３１９からの処理に戻る。
【０１２８】
その後の［戻る／リスト］キーＫＲまたは１４ｄの操作に対してＣＰＵ２１は、上記ステップＳ３１０からの処理に戻る。したがって、カラー液晶表示画面１７ｄでは、上記図９（Ｃ）に示した表示状態に比して、中央の青色のマーカで表わされるマス目に「平等院鳳凰堂」の文字列を併せて表示する。
【０１２９】
この図１０（Ｃ）の表示状態からさらに上方向及び右方向の表示範囲の移動を示すカーソル（↑，→）キー１４ｅがユーザにより連続して操作された場合、上記ステップＳ３１１の処理を２回繰返し実行することにより、カラー液晶表示画面１７ｄで表示する内容は図１１（Ａ）で示すようになる。
【０１３０】
この図１１（Ａ）では、見出しである「宇治」に該当する赤色マーカのみの文字のないマス目が中央に配置される。上段左側、中段右側、及び下段右側の計３つの各マス目は、該当する見出し、及びカラー表示するためのマーカ色は設定されておらず、白色で表示する。
【０１３１】
上記図１１（Ａ）で示した表示状態から［訳／決定］キーＫＥまたは１４ｃがユーザにより操作された場合、ＣＰＵ２１は上記ステップＳ３１２でそれを判断し、その時点で画面中央のマス目に該当する見出しの文字列に対応するテキスト情報Ｔその他の説明文部分をカラーのマーカ付きでカラー液晶表示画面１７ｄにおいて表示する（ステップＳ３１４）。
【０１３２】
この場合、見出し「宇治」に対応するインデックス情報は存在せず、見出し語Ｗとしての「宇治」に対応するテキスト情報Ｔその他を表示することはできない。そのため、同一グループ内でこの見出し「宇治」を含む、前回表示した見出し語Ｗ「平等院鳳凰堂」に対応するテキスト情報Ｔその他を用いて再度カラー液晶表示画面１７ｄでの表示を行なう。
【０１３３】
図１１（Ｂ）がこのときのカラー液晶表示画面１７ｄでの表示状態を示す。この場合、上記ステップＳ３１４〜Ｓ３１８の処理により、メインとなる見出し「平安」と学習済みとして設定した見出し「びょうどういんほうおうどう（平等院鳳凰堂）」以外の見出し部分は設定された色によるカラーマーカのみで文字列は表示せず、また特にこの時点で選択している見出し「宇治」の文字列部分を上記ステップＳ３１５の処理により二重の枠で表示する。
【０１３４】
この表示状態から上記図１１（Ｃ）に示すようにさらに［訳／決定］キーＫＥまたは１４ｃをユーザが操作すると、ＣＰＵ２１は上記ステップＳ３１９でそれを判断した後、上記ステップＳ３２０の処理で隠した文字列を一時的、例えば２秒間だけ表示させる。
【０１３５】
図１２は、上記図１１（Ｃ）の表示状態からユーザが「学習済」アイコンＢＦを操作し、さらに続けて［戻る／リスト］キーＫＲまたは１４ｄを操作した場合の表示の遷移状態を示す。
【０１３６】
まず「学習済」アイコンＢＦを操作した時点でＣＰＵ２１は、上記ステップＳ３２１でそれを判断し、その時点で該当する見出しの文字列、この場合には「宇治」を学習済みであるものと設定して、それまで色マーカのみで文字列を隠していた状態から該当文字列を表示させた後（ステップＳ３２２）、上記ステップＳ３１９からの処理に戻る。
【０１３７】
その後の［戻る／リスト］キーＫＲまたは１４ｄの操作に対してＣＰＵ２１は、上記ステップＳ３１０からの処理に戻る。したがってカラー液晶表示画面１７ｄでは、上記図１１（Ａ）に示した表示状態に比して、中央の赤色のマーカで表マス目に「宇治」の文字列を併せて表示する。
【０１３８】
以上詳述したように、関連付けた複数の見出しそれぞれに対して学習の有無を勘案して学習済みの設定を行なうことができるため、個々の見出しを単独にではなく、系統立てた一連の流れに基づいて多数の項目を効率的に学習することができる。
【０１３９】
［第２の動作例］  
次に上記実施形態の第２の動作例について説明する。  
本動作例では、辞書・教科書コンテンツを選択し、見出し語Ｗに対応したテキスト情報Ｔを表示させた上で、その文中から関連付ける見出しの文字列を順次マーカ学習帳データ２２Ｂに登録した上で、その登録した関連付けられた見出しの文字列を表示させて学習する。
【０１４０】
上記図３及び図４の登録処理において、例えば「社会：日本史」の起用箇所コンテンツを選択し（ステップＳ１０１）、目次の見出しから検索するのではなく（ステップＳ１０２）、ユーザが文字列を入力する見出し語Ｗを検索するものとする（ステップＳ１２２）。
【０１４１】
ここで例えば文字列「しょうとくたいし」をキー入力部１４または手書き入力部１６での操作により入力し（ステップＳ１２３）、入力した検索文字列に対応する見出し語Ｗの検索を実行する（ステップＳ１２４）。
【０１４２】
そして、検索の結果得られた見出し語Ｗを一覧表示し（ステップＳ１０３）、その一覧表示からユーザが「聖徳太子」を選択すると、その見出し語Ｗに対応するテキスト情報Ｔその他を説明としてタッチパネル式カラー表示部（メイン画面）１７で表示する。
【０１４３】
図１３（Ａ）は、このときタッチパネル式カラー表示部（メイン画面）１７で表示される、見出し語Ｗ「聖徳太子（しょうとくたいし）」に対応したテキスト情報Ｔの内容を示す。
【０１４４】
ここでタッチパネル式カラー表示部（メイン画面）１７のタッチアイコンエリア１７ＢのマーカアイコンＢＭをユーザがタッチ操作すると、ステップＳ１０６でＣＰＵ２１がそれを判断し、予め決定されている順序に従ってまず赤色のマーカを設定する（ステップＳ１０７）。
【０１４５】
図１３（Ｂ）は、設定された赤色のマーカ機能により、ユーザがスタイラスペンＳＰを用いて上記説明文中の文字列「推古（すいこ）天皇」をマーキングした状態を示す。上記マーキング後にユーザがタッチアイコンエリア１７Ｂの「登録」アイコンＢＲＧを操作すると、ＣＰＵ２１はこの文字列のマーキングと登録の指示を受付ける（ステップＳ１０８）。そしてＣＰＵ２１は、指定されたマーカ文字列「推古（すいこ）天皇」を、見出し語Ｗ「聖徳太子」をメインの見出しとしてこれに関連付けて学習帳に登録する（ステップＳ１０９）。
【０１４６】
その後、カラー液晶表示画面１７ｄにて同様の登録の処理を続行するか否かの選択を促す表示を行ない、その表示に対応するユーザの選択操作を受け付けて、続行するか否かを判断する（ステップＳ１１０）。
【０１４７】
ここで登録を続行すると判断した場合には、次いで上述したローテーションに従って黄色のマーカを自動的に設定した上で（ステップＳ１１１）、ユーザにより表示中の文字列がスタイラスペンＳＰで位置指定のを受付ける（ステップＳ１１２）。
【０１４８】
図１４（Ａ）は、設定された黄色のマーカ機能により、ユーザがスタイラスペンＳＰを用いて上記説明文中の文字列「摂政（せっしょう）」をマーキングした状態を示す。  
その後、図１４（Ｂ）に示すようにユーザがその前に登録した見出しの文字列「推古（すいこ）天皇」をスタイラスペンＳＰによりタッチ操作すると、ＣＰＵ２１は他のマーカ文字列へのタッチがあったものと判断し（ステップＳ１１３）、タッチしたマーカ文字列「推古（すいこ）天皇」に関連付けて文字列「摂政（せっしょう）」をマーカ学習帳データ２２Ｂ内の学習帳に登録する（ステップＳ１１４）。
【０１４９】
その後、カラー液晶表示画面１７ｄにて同様の追加登録の処理を続行するか否かの選択を促す表示を行ない、その表示に対応するユーザの選択操作を受け付けて、続行するか否かを判断する（ステップＳ１１６）。
【０１５０】
ここで追加登録を続行しないと判断した場合には、上記ステップＳ１０６からの処理に戻る。
【０１５１】
この状態で見出し語Ｗでもあるメインの見出し文字列「聖徳太子」に対してマーカ文字列「推古（すいこ）天皇」が関連付けて登録され、且つ同マーカ文字列「推古（すいこ）天皇」に対してさらにマーカ文字列「摂政（せっしょう）」が関連付けて登録されたことになる。
【０１５２】
以上のようにして、辞書・教科書データベース２２Ａで記憶される辞書・教科書コンテンツを選択し、その中の見出し語Ｗに対応する説明文中からマーカ文字列を順次見出しとして指定した上で、関連付ける見出しを選択することにより、マーカ学習帳データ２２Ｂに学習帳を登録することができる。
【０１５３】
次に上記のようにして登録した学習帳を用いた表示処理について説明する。  
ここでは、図１５（Ａ）に示すようにメインの見出しを「聖徳太子」として複数の見出しが関連付けられた学習帳内の１グループにつき、その内容を表示させる場合について説明する。
【０１５４】
上記図６の処理においては、まずマーカ学習帳データ２２Ｂに登録されている複数の学習帳のグループ（Ｇｒ．）「Ａ」〜「Ｆ」の中から１つを選択するように促し、それに応じてユーザがいずれかのグループを選択する操作を行なうと、その操作入力を受付ける（ステップＳ３０１）。
【０１５５】
図１５（Ａ）は、このときタッチパネル式カラー表示部（メイン画面）１７で表示「暗記学習帳」の１つ、社会科の日本史用に登録した「暗記学習帳Ａ」に登録されている４つのグループ「Ａ．前回見たところ」「Ｂ．平安」「Ｃ．戦国武将」「Ｄ．聖徳太子」を各チェックボックスＣＢと共に一覧表示した状態を示す。
【０１５６】
同図では、２番目のグループ「Ｂ．平安」、及び３番目のグループ「Ｃ．戦国武将」の各チェックボックスＣＢにチェックのマーク「レ」が入り、これらグループについては既に学習済みであることが視認できるようになっている。また、下方向のカーソルキー（↓）１４ｅの連続操作により、４番目のグループ「Ｄ．聖徳太子」が仮に選択された状態でカラーマーカにより識別して表示された状態を示す。
【０１５７】
ここでタッチアイコンエリア１７ＢのマーカアイコンＢＭをタッチ操作して「隠さず表示」状態にする一方で、上記図１５（Ａ）に示す状態からタッチキーエリア１７Ａの［訳／決定］キーＫＥ（またはキー入力部１４の［訳／決定］キー１４ｃ）をユーザが操作すると、ＣＰＵ２１は上記ステップＳ３０１でそれを受付け、上記図１５（Ａ）で示した表示画面に代えて、該当するグループ内の見出しの一覧表示を行なう（ステップＳ３０２）。
【０１５８】
このとき、上述したようにこのグループを構成する３つの見出し「聖徳太子」「推古（すいこ）天皇」「摂政（せっしょう）」をカラー液晶表示画面１７ｄで画面の上下方向に沿って列挙するように一覧表示する。
【０１５９】
この見出しの一覧表示状態から、さらに続けてタッチキーエリア１７Ａの［訳／決定］キーＫＥ（またはキー入力部１４の［訳／決定］キー１４ｃ）をユーザが操作すると、ＣＰＵ２１は上記ステップＳ３０３を介して上記ステップＳ３０５でそれを受付け、上記図１５（Ａ）で示した表示画面に代えて、カラー液晶表示画面１７ｄを縦３×横３の計９つのマス目に分割し、メインとなる見出しを中段の中央のマス目に配置するように表示する（ステップＳ３０６）。
【０１６０】
図１５（Ｂ）は、上記図１５（Ａ）に示した表示状態から［訳／決定］キーＫＥまたは１４ｃが２回連続して操作された場合の一表示例を示す。同図（Ｂ）では、９つのマス目の中央で、メインとなる見出し「聖徳太子」が表示。また、合わせて、中央以外の周囲のマス目では、下段の中央のマス目で、見出し「推古（すいこ）天皇」が対応する赤色のマーカ色でカラー表示される（ステップＳ３０７）。
【０１６１】
加えて、上記ステップＳ３０３，Ｓ３０４の操作による隠し状態に応じて、マーカ色が該当する見出しの文字列を隠してマーカ色のみで表示させる一方で（ステップＳ３０８）、学習済みであると設定した見出しの文字列に関しては表示させる（ステップＳ３０９）。
【０１６２】
ここでは隠し状態が「全て表示」となっているために、ステップＳ３０８で見出しの文字列を隠すマス目は存在せず、またステップＳ３０９における処理も不要となる。
【０１６３】
その後、下方向への表示範囲の移動を指示するカーソルキー（↓）１４ｅがユーザにより操作と、ＣＰＵ２１はステップＳ３１０でそれを判断し、中段の中央のマス目の文字列をカーソルキーの操作された内容に応じて変更すると共に、中段中央以外の周囲のマス目では、各見出しに関連付けられた文字列を、対応するマーカ色で表現してカラー表示させた後（ステップＳ３１１）、再び上記ステップＳ３１０の処理に戻る。
【０１６４】
図１５（Ｃ）は、このときカラー液晶表示画面１７ｄで表示される内容を例示する。図示する如く、メインの見出し「聖徳太子」の下に位置する赤色のマーカの見出し「推古（すいこ）天皇」を中段中央のマス目に配置する。
【０１６５】
これに連れて、上記メインの見出し「平安」を上段の中央のマス目に移動すると共に、黄色のマーカの見出し「摂政（せっしょう）」を下段の中央のマス目に配置する。
【０１６６】
このように、コンテンツのいずれかの見出し語Ｗに対応してテキスト情報Ｔ中の任意の文字列を関連付けて順次登録することで、それらの文字列を関連付けたオリジナルの学習帳を作成して学習することができる。
【０１６７】
以上詳述した如く第１の動作例及び第２の動作例も含めて本実施形態によれば、キーワードとなる複数の文字列を相互に関連付けた構造として登録することで、暗記学習したい単語を単に記録するのではなく、それらを系統立てた繋がりを有するものとして視覚的に表現することで体系的な学習が実現でき、効率よく有意義な学習に寄与できる。
【０１６８】
また上記第１の動作例では、入力した文字列を検索キーワードとして辞書・教科書データベースのコンテンツの全文検索を行ない、該当する見出し語あるいは説明文を表示させることで、見出しの文字列の追加登録を行なうことができるため、関連した見出しの検索と登録が気軽に行なえて、学習効果をより高めることができる。
【０１６９】
一方、第２の動作例では、見出し語Ｗを選択した上でその説明文のテキスト情報Ｔ中から任意の文字列を簡易に設定して随時関連付けて登録することができるため、１つの見出し語Ｗに対して関連した事柄を集中的に学習するのに適し、簡易な操作ながらより深い学習に寄与できる。
【０１７０】
加えて上記第２の動作例では、説明文中の２番目以降の文字列を指定するに当たって、見出し語Ｗではなく、その文字列を関連付ける他の文字列を設定可能としたため、ユーザ自身が各見出しの関連付けを熟慮することで、学習効果をより一層上げることができる。
【０１７１】
さらに上記第１及び第２の動作例では、見出しの登録順序に応じて文字列の背景部分のマーカ色が順次変更されるように設定して各見出しの文字列を登録し、任意のマーカ色に応じて文字列の表示／非表示を切り替えることができるようにしたため、隣り合う文字列がなるべく同色とはならず、個々の文字列を区分して識別可能に表示することが可能とした上で、１つ１つの見出しを学習する際の切替操作を簡易化できる。
【０１７２】
加えて上記動作例では、すべてのマーカ色の見出し文字列を表示させるべく、隠し状態を「隠さず表示」と設定するか、あるいは［訳／決定］キー１４ｃまたはＫＥを操作することにより、容易に隠していた文字列部分を表示させることができるため、学習の結果を簡易な操作で確認でき、使い勝手を向上できる。
【０１７３】
なお、上記実施形態の図３及び図４と図６のフローチャートに記載した手法は、いずれもコンピュータに実行させることができるプログラムとして、メモリカードや磁気ディスク（フロッピディスク（登録商標）装置やハードディスク装置）、光ディスク（ＣＤ−ＲＯＭ、ＭＯディスク、ＤＶＤ等）、半導体不揮発性メモリ等の外部記憶媒体に格納して配布することができる。
【０１７４】
また上記手法を実現するためのプログラムのデータは、プログラムコードの形態として通信ネットワーク（インターネット）Ｎ上を伝送させることができ、この通信ネットワーク（インターネット）Ｎに接続されたＷｅｂサーバ（プログラムサーバ）３０から上記プログラムデータを取込み、上述した処理を実現することもできる。
【０１７５】
その他、本発明は上述した実施形態に限定するものではなく、実施段階ではその要旨を逸脱しない範囲で種々に変形することが可能である。また、上述した実施形態で実行機能は可能な限り適宜組み合わせて実施しても良い。上述した実施形態には種々の段階が含まれており、開示複数の構成要件による適宜の組み合せにより種々の発明が抽出され得る。例えば、実施形態に示全構成要件からいくつかの構成要件が削除されても、効果が得られるのであれば、この構成要件が削除された構成が発明として抽出され得る。
【符号の説明】
【０１７６】
１０…電子辞書装置
１１…本体ケース
１２…蓋体ケース
１３…ヒンジ部
１４…キー入力部
１４ａ…文字入力キー
１４ｂ…辞書指定キー
１４ｃ…［訳／決定］キー
１４ｄ…［戻る／リスト］キー
１４ｅ…カーソルキー
１４ｆ…［ジャンプ］キー
１５…スピーカ
１６…手書き入力部
１６ｄ…カラー液晶表示画面
１６ｔ…透明タッチパネル
１７…タッチパネル式カラー表示部（メイン画面）
１７Ａ…タッチキーエリア
１７Ｂ…タッチアイコンエリア
１７ｄ…カラー液晶表示画面
１７ｔ…透明タッチパネル
２１…ＣＰＵ
２２…プログラムメモリ
２２Ａ…辞書・教科書データベース
２２Ａ１，２２Ａ…辞書・教科書コンテンツ
２２ＡＮ…辞書・教科書名情報
２２Ｂ…マーカ学習帳データ
２２Ｃ…各種処理プログラム
２３…メモリカード
２４…メモリカードコントローラ
３０…Ｗｅｂサーバ、
ＢＡ…「全て表示」アイコン
ＢＦ…「学習済」アイコン
ＢＭ…マーカアイコン
ＢＲ…「登録順」アイコン
ＣＢ…チェックボックス
ＫＥ…［訳／決定］キー
ＫＪ…［ジャンプ］キー
ＫＲ…［戻る／リスト］キー
Ｎ…インターネット
ＳＢ…システムバス
Ｔ…テキスト情報
Ｗ…見出し語
【図１】
2012128069.tif 000003
【図２】
2012128069.tif 000004
【図３】
2012128069.tif 000005
【図４】
2012128069.tif 000006
【図５】
2012128069.tif 000007
【図６】
2012128069.tif 000008
【図７】
2012128069.tif 000009
【図８】
2012128069.tif 000010
【図９】
2012128069.tif 000011
【図１０】
2012128069.tif 000012
【図１１】
2012128069.tif 000013
【図１２】
2012128069.tif 000014
【図１３】
2012128069.tif 000015
【図１４】
2012128069.tif 000016
【図１５】
2012128069.tif 000017